(57)【要約】【課題】  躯体開口部の縁部の室内側面に取り付けるものであって、意匠性が良好な見切枠を提供する。【解決手段】  縦ふかし枠と、縦カバー材と、小口キャップとを備え、縦ふかし枠は、被嵌合部を有し、躯体開口部の縁部の室内側面に取り付けてあり、縦カバー材は、縦ふかし枠をカバーするものであり、室内側見付面部と、室内側見付面部の室外側に設けた嵌合部と、室内側見付面部の長手方向端部の室外側に設けた被固定部を有し、被固定部が嵌合部を回避する位置に設けてあって、嵌合部を縦ふかし枠の被嵌合部に室内側から嵌合させて取り付けてあり、小口キャップは、固定部と、平坦な見込面部を有し、固定部を縦カバー材の被固定部に係合させて固定してある。【選択図】      図１
2014088715.tif 000002
【特許請求の範囲】
【請求項１】
縦ふかし枠と、縦カバー材と、小口キャップとを備え、縦ふかし枠は、被嵌合部を有し、躯体開口部の縁部の室内側面に取り付けてあり、縦カバー材は、縦ふかし枠をカバーするものであり、室内側見付面部と、室内側見付面部の室外側に設けた嵌合部と、室内側見付面部の長手方向端部の室外側に設けた被固定部を有し、被固定部が嵌合部を回避する位置に設けてあって、嵌合部を縦ふかし枠の被嵌合部に室内側から嵌合させて取り付けてあり、小口キャップは、固定部と、平坦な見込面部を有し、固定部を縦カバー材の被固定部に係合させて固定してあることを特徴とする見切枠。
【請求項２】
縦ふかし枠と、縦カバー材と、小口キャップとを備え、縦ふかし枠は、躯体開口部の縁部の室内側面に取り付けてあり、縦カバー材は、縦ふかし枠をカバーするものであり、縦ふかし枠に室内側から取り付けてあって、室内側見付面部と外周側見込面部を備えたカバー部を有するとともに、カバー部の内側に中空部を有しており、小口キャップは、挿入突部と、挟持突部とを有しており、挿入突部を縦カバー材の中空部に挿入し、挿入突部と挟持突部で中空部の壁面を挟み込んで固定してあることを特徴とする見切枠。
【発明の詳細な説明】
【技術分野】
【０００１】
本発明は、既設の窓の室内側に内窓を取り付ける際などに、躯体開口部の縁部の室内側面に取り付ける見切枠に関する。
【背景技術】
【０００２】
近年、既設の窓の内側に取り付けて断熱性や防音性を向上させる内窓が広く普及している。こうした内窓は、既設窓の室内側に設けられた額縁の見込面に取り付けるものであるが、額縁の見込面の見込幅が短い場合、そのままでは内窓を取り付けることができない。その場合、額縁の室内側にふかし枠を取り付けて見込面を延長し、額縁とふかし枠に跨って内窓を取り付ける。一般に、ふかし枠はアルミ形材からなるものであって、その室内側に樹脂製のカバー材を取り付けてある。より詳しくは、非特許文献１に示すように、縦ふかし枠と横ふかし枠にそれぞれ縦カバー材と横カバー材を取り付けてあり、角部には、縦カバー材と横カバー材の両方の端部を覆うようにして、略矩形のキャップを室内側から取り付けてあった。
【先行技術文献】
【非特許文献】
【０００３】
【非特許文献１】「リフォーム商品総合カタログ２０１２−２０１３」、三協立山株式会社、平成２４年６月、ｐ．６１６
【発明の概要】
【発明が解決しようとする課題】
【０００４】
しかしながら、このような構成の従来品は、室内側から角部の大きなキャップが目立ってしまい、意匠性が好ましいものではなかった。
【０００５】
本発明は、上記事情を鑑みたものであり、躯体開口部の縁部の室内側面に取り付けるものであって、意匠性が良好な見切枠を提供することを目的とする。
【課題を解決するための手段】
【０００６】
本発明のうち請求項１の発明は、縦ふかし枠と、縦カバー材と、小口キャップとを備え、縦ふかし枠は、被嵌合部を有し、躯体開口部の縁部の室内側面に取り付けてあり、縦カバー材は、縦ふかし枠をカバーするものであり、室内側見付面部と、室内側見付面部の室外側に設けた嵌合部と、室内側見付面部の長手方向端部の室外側に設けた被固定部を有し、被固定部が嵌合部を回避する位置に設けてあって、嵌合部を縦ふかし枠の被嵌合部に室内側から嵌合させて取り付けてあり、小口キャップは、固定部と、平坦な見込面部を有し、固定部を縦カバー材の被固定部に係合させて固定してあることを特徴とする。
【０００７】
本発明のうち請求項２の発明は、縦ふかし枠と、縦カバー材と、小口キャップとを備え、縦ふかし枠は、躯体開口部の縁部の室内側面に取り付けてあり、縦カバー材は、縦ふかし枠をカバーするものであり、縦ふかし枠に室内側から取り付けてあって、室内側見付面部と外周側見込面部を備えたカバー部を有するとともに、カバー部の内側に中空部を有しており、小口キャップは、挿入突部と、挟持突部とを有しており、挿入突部を縦カバー材の中空部に挿入し、挿入突部と挟持突部で中空部の壁面を挟み込んで固定してあることを特徴とする。
【発明の効果】
【０００８】
本発明のうち請求項１の発明によれば、カバー材のキャップが縦カバー材の小口に取り付けられており、さらに小口キャップの見込面部が平坦になっていることから、小口キャップが室内側にほとんど露出せず目立たないので、意匠性が良好である。そして小口キャップが上下に突出しないので、躯体開口部に近接して他の構造物が設けられている場合でも、それと干渉することなく取り付けることができる。また、小口キャップを縦カバー材に取り付けるための被固定部が、室内側見付面部の室外側に設けてあり、固定部及び被固定部が室内側見付面部に隠されて室内側から見えないので、この点においても意匠性が良好である。
【０００９】
本発明のうち請求項２の発明によれば、カバー材のキャップが縦カバー材の小口に取り付けられていて室内側にほとんど露出せず目立たないので、意匠性が良好である。また、小口キャップを縦カバー材に取り付けるための突部が縦カバー材の内側に納まって室内側から見えないので、この点においても意匠性が良好である。
【図面の簡単な説明】
【００１０】
【図１】第一実施形態の左側部分の拡大図である。
【図２】第一実施形態の上側部分の拡大図である。
【図３】第一実施形態の下側部分の拡大図である。
【図４】第一実施形態の横断面図である。
【図５】第一実施形態の縦断面図である。
【図６】第一実施形態の小口キャップの五面図及び縦カバー材への取り付けの説明図である。
【図７】縦カバー材と横カバー材の納まりの説明図である。
【図８】第二実施形態の下側部分の拡大図である。
【図９】第三実施形態の左側部分の拡大図である。
【図１０】第三実施形態の下側部分の拡大図である。
【図１１】床面キャップの五面図及び縦カバー材への取り付けの説明図である。
【図１２】第四実施形態の左側部分の拡大図である。
【図１３】第四実施形態の上側部分の拡大図である。
【図１４】第四実施形態の下側部分の拡大図である。
【図１５】第四実施形態の横断面図である。
【図１６】第四実施形態の縦断面図である。
【図１７】第四実施形態の小口キャップの五面図及び縦カバー材への取り付けの説明図である。
【図１８】第五実施形態の左側部分の拡大図である。
【図１９】第五実施形態の上側部分の拡大図である。
【図２０】第五実施形態の下側部分の拡大図である。
【図２１】第六実施形態の下側部分の拡大図である。
【発明を実施するための形態】
【００１１】
以下、本発明の実施の形態を図面に基づいて説明する。なお、以下において左右とは、本発明の見切枠を室内側から正面視した場合の左右方向を示すものとする。また、本発明の見切枠には、左右の縦枠と上下の横枠を四周枠組みした四方枠と、左右の縦枠と上側の横枠を枠組みした三方枠の両方を含む。三方枠の場合、左右の縦枠の下端が窓の額縁や床面などに突き当たることになる。そして、以下の各実施形態は、何れも、躯体開口部Ｓを有する躯体の室内側壁面Ｗに対して、断熱性を高めるためのリフォーム工事を行うことを想定したものである。
【００１２】
まず、見切枠の第一実施形態について、図１〜図７に基づき説明する。見切枠の第一実施形態は、左右の縦ふかし枠１、縦カバー材２及び小口キャップ３と、上下の横ふかし枠４及び横カバー材５とを備える四方枠形状のものである。見切枠を取り付ける躯体開口部Ｓには、窓（既設窓１００）が設けられている。既設窓１００は、図４及び図５に示すように、四周枠組みした窓枠１０１と、窓枠１０１に引違いに納めた二枚の障子１０２ａ，１０２ｂからなる引違い窓であって、躯体開口部Ｓの室外側端に取り付けられている。また、既設窓１００の上下左右の窓枠１０１の室内側には、躯体開口部Ｓの見込面を覆う矩形板状の額縁２００が取り付けられている。額縁２００の室内側端は、躯体の室内側壁面Ｗよりも室内側に突出している。
【００１３】
さらに、額縁２００の室内側面には、見切材が取り付けられている。左右（縦）の額縁２００に取り付けられた見切材は、図１に示すように、縦ふかし枠１と、縦カバー材２からなるものである。なお、図１は見切枠の左側部分を示すものであるが、右側部分はこれと左右対称な構造である。縦ふかし枠１は、断面が室内外方向に長い略矩形で中空のアルミ形材からなるものであり、左右方向幅が額縁２００と同じであって、額縁２００の室内側面にネジ止めして取り付けてある。すなわち、縦ふかし枠１を取り付けることで、額縁２００が室内側に延長された形になっている。縦ふかし枠１の室内側面には、長手方向（上下方向）に延びる溝部を形成してあり、これが縦カバー材２を取り付けるための被嵌合部１１となる。そして、左右の額縁２００の内周側面と、縦ふかし枠１の内周側面とに跨って樹脂板からなる被覆材６を取り付けてある。被覆材６により、額縁２００と縦ふかし枠１の境目が覆われ、左右の内周側面が完全な面一となっている。なお、被覆材６の外周側面には、長手方向に平行な溝が等間隔に多数形成されており、この溝で被覆材６を折り取って容易に長さ調整できるようになっている。また、折り取るのではなくて、溝にカッターの刃を沿わせて切り取ってもよく、その場合、ジグなどを用いることなく正確に直線切断でき、折り取る場合に比べてより切断面を平滑にできるので意匠性が向上する。
【００１４】
縦カバー材２は、硬質の樹脂製で、左右に延びる室内側見付面部２１ａと、室内側見付面部２１ａの外周側端から室外側に延びる外周側見込面部２１ｂからなる略Ｌ字形のカバー部２１を有し、カバー部２１の内側（室内側見付面部２１ａの室外側かつ外周側見込面部２１ｂの内周側）に、矩形の中空部２３を形成してある。この中空部２３は、小口キャップ３を固定するための被固定部となる。また中空部２３は、左右方向幅が、額縁２００と被覆材６を合わせた厚さと等しくなっている。そして、中空部２３の室外側の壁面２３ａには、室外側に突出する二つの爪部が形成されており、これが縦ふかし枠１の被嵌合部１１に嵌合する嵌合部２２となっている。嵌合部２２を縦ふかし枠１の被嵌合部１１に嵌合させると、室内側見付面部２１ａと外周側見込面部２１ｂが、それぞれ縦ふかし枠１の室内側面と外周側面を覆う。そして、外周側見込面部２１ｂが縦ふかし枠１の外周側面に当接し、中空部２３の内周側面が被覆材６の内周側面と面一になる。また、室内側見付面部２１ａは、中空部２３の内周側面よりもさらに内周側に延びており、その先端の室外側面には、軟質の樹脂からなるシール部２４を設けてある。シール部２４は、縦カバー材２のその他の部分と一体に成型したものである。そして、外周側見込面部２１ｂは、縦ふかし枠１の室外側端よりもさらに室外側に延びており、額縁２００の外周側面にも当接している。
【００１５】
小口キャップ３は、硬質の樹脂製で、図６（（ａ）〜（ｅ）が五面図、（ｆ）が縦カバー材２に取り付けた状態の説明図）に示すように、略矩形で平板状の見込面部３２と、見込面部３２の内周側面に形成した固定部３１及び突条３３からなる。固定部３１は、見込面部３２の室内側かつ外周側の角部に形成した挿入突部３１ａと、挿入突部３１ａの室外側に形成した挟持突部３１ｂからなる。挿入突部３１ａは、縦カバー材２の中空部２３にちょうど嵌まる形状となっている。そして、挿入突部３１ａ及び挟持突部３１ｂには、室内外方向に貫通するネジ孔３４ａ，３４ｂを形成してある。また、突条３３は、室内外に延びるもので、挿入突部３１ａの外周側端の室外側に形成してある。このように形成した小口キャップ３は、縦カバー材２の上下の端部に固定される。より詳しくは、小口キャップ３の挿入突部３１ａを縦カバー材２の中空部２３に挿入する。すると、中空部２３の室外側の壁面２３ａは挿入突部３１ａと挟持突部３１ｂに挟まれ、挟持突部３１ｂは、嵌合部２２を構成する二本の爪部の間に納まる。すなわち、縦カバー材２の中空部（被固定部）２３が嵌合部２２を回避している。また、突条３３は、縦カバー材２の外周側見込面部２１ｂの内周側面に当接して、ガタツキを防ぐ。そして、挟持突部３１ｂのネジ孔３４ｂの室外側から、ネジ３５を挿入してねじ込む。縦カバー材２の中空部２３の壁面２３ａにはネジ孔が形成されていないが、このネジ３５はタッピングネジであり、ねじ込むことで壁面２３ａに孔を開けて、小口キャップ３が縦カバー材２に固定される。ネジ３５の先端は、挿入突部３１ａのネジ孔３４ａ内に納まり、外側に露出することはない。また、挿入突部３１ａの室内外方向の厚さが薄く、ネジ３５の先端がネジ孔３４ａから突出したとしても、ネジ３５の先端は中空部２３内に納まって外側に露出しない。なお、図６に示したものは、左側の縦カバー材２の下端及び右側の縦カバー材２の上端に取り付けるものであり、左側の縦カバー材２の上端及び右側の縦カバー材２の下端に取り付けるものは、これと左右対称な形状となる。
【００１６】
また、上下（横）の額縁２００に取り付けられた見切材は、図２及び図３に示すように、横ふかし枠４と、横カバー材５からなるものである。上側の横ふかし枠４は、断面略矩形で中空のアルミ形材からなるものであり、上下方向幅が額縁２００と同じであって、額縁２００の室内側面にネジ止めして取り付けてある。すなわち、上側の横ふかし枠４を取り付けることで、上側の額縁２００が室内側に延長された形になっている。また、下側の横ふかし枠４は、室内側部分が下側に膨らんだ形状で中空のアルミ形材からなるものであって、額縁２００の室内側面にネジ止めして取り付けてある。下側の横ふかし枠４は、上下方向幅が額縁２００よりも厚いが、内周側面（上側面）が額縁２００と面一になっており、額縁２００の内周側面（上側面）が室内側に延長された形になっている。そして、上下の横ふかし枠４の室内側面と外周側面には、それぞれ爪部を形成してあり、これが横カバー材を取り付けるための被嵌合部４１となっている。そして、上下の額縁２００の内周側面と、横ふかし枠４の内周側面とに跨って樹脂板からなる被覆材６を取り付けてある。被覆材６により、額縁２００と横ふかし枠４の境目が覆われ、上下の内周側面が完全な面一となっている。
【００１７】
横カバー材５は、硬質の樹脂製で、上下に延びる室内側見付面部５１ａと、室内側見付面部５１ａの外周側端から室外側に延びる外周側見込面部５１ｂからなる略Ｌ字形のカバー部５１を有し、カバー部５１の内側（室内側見付面部５１ａの室外側面と、外周側見込面部５１ｂの内周側面）に、爪部を形成してある。この爪部は、横ふかし枠４の被嵌合部４１に嵌合する嵌合部５２となっている。嵌合部５２を横ふかし枠４の被嵌合部４１に嵌合させると、室内側見付面部５１ａと外周側見込面部５１ｂが、それぞれ横ふかし枠４の室内側面と外周側面を覆う。そして、外周側見込面部５１ｂが横ふかし枠４の外周側面に当接する。また、室内側見付面部５１ａは、被覆材６の内周側面よりもさらに内周側に延びており、その先端の室外側面には、軟質の樹脂からなるシール部５４を設けてある。シール部５４は、横カバー材５のその他の部分と一体に成型したものである。そして、外周側見込面部５１ｂは、横ふかし枠４の室外側端よりもさらに室外側に延びていて、上側においては額縁２００の外周側面にも当接している。一方、下側においては、横ふかし枠４の外周側面が額縁２００の外周側面よりも外周側（下側）に位置しているので、外周側見込面部５１ｂと額縁２００とは離れている。また、上側の横ふかし枠４の室内側面には、室内側に突出するアーム７が横カバー材５の上からネジ止めされており、アーム７にはカーテンレール７１が取り付けられている。
【００１８】
そして、既設窓１００の室内側には、内窓８が取り付けられている。内窓８は、図４及び図５に示すように、四周枠組みした窓枠８１と、窓枠８１に引違いに納めた二枚の障子８２ａ，８２ｂからなる引違い窓であって、額縁２００と、縦ふかし枠１又は横ふかし枠４に跨った位置に、窓枠８１を縦ふかし枠１及び横ふかし枠４にネジ止めして取り付けられている。内窓８の窓枠８１は、室内側端の四周に、内周側に向かって延びる起立片８１ａを有している。起立片８１ａは、窓枠８１の左右辺及び下辺において、最も内周側に突出する部材である。ただし、左右辺においては、室外側端に設けたもう一つの起立片８１ｂが同じだけ突出しており、下辺においては、障子８２ａ，８２ｂ用のレール８３が同じだけ突出している。また、上辺においては、障子８２ａ，８２ｂ用のレール８４がより内周側に突出している。そして、縦カバー材２及び横カバー材５の室内側見付面部２１ａ，５１ａは、この起立片８１ａと内周側端面が面一になる長さに形成されており、縦カバー材２及び横カバー材５のシール部２４，５４が、起立片８１ａの室内側面に当接している。
【００１９】
さらに、躯体開口部Ｓの周囲の躯体の室内側壁面Ｗには、断熱パネルＨを取り付けてある。断熱パネルＨの厚さは、額縁２００の室内側壁面Ｗからの突出長さよりも薄く、額縁２００の室内側端は、断熱パネルＨの室内側面よりも室内側に突出している。そして、上記のとおり、縦カバー材２及び横カバー材５の外周側見込面部２１ｂ，５１ｂが、縦ふかし枠１又は横ふかし枠４の室外側端よりもさらに室外側に延びており、断熱パネルＨの小口が縦カバー材２又は横カバー材５の外周側見込面部２１ｂ，５１ｂに当接している。
【００２０】
なお、図７に示すように、見切枠の角部においては、横カバー材５の端部が、縦カバー材２の室内側見付面部２１ａに呑み込まれる構造となっている。この際、縦カバー材２の室内側見付面部２１ａの先端の室外側面に設けたシール部２４は、横カバー材５の上下幅の分だけ切除されており、縦カバー材２の室内側見付面部２１ａが、横カバー材５の室内側見付面部５１ａに当接している。なお、シール部２４は、カッターの刃を室内側見付面部２１ａの室外側面に平行に密着させて当て、一度の作業で容易にそぎ落として除去することができるので、施工性が良好である。
【００２１】
このように構成した見切枠の第一実施形態によれば、縦カバー材２の小口に小口キャップ３が取り付けられており、さらに小口キャップ３の見込面部３２が平坦になっていることから、室内側からは見込面部３２の薄い端面しか見えず、小口キャップ３が目立たないので、すっきりとした外観となり意匠性が良好である。そして小口キャップ３が上下に突出しないので、躯体開口部Ｓに近接して他の構造物が設けられている場合（たとえば、上側にエアコンが設置されている場合など）でも、それと干渉することなく取り付けることができる。また、縦カバー材２の被固定部（中空部２３）が略Ｌ字形のカバー部２１の内側に形成してあって、被固定部（中空部２３）及び小口キャップ３の固定部３１（挿入突部３１ａ及び挟持突部３１ｂ）が室内側から見えない。さらに、小口キャップ３を縦カバー材２に固定するネジ３５も、カバー部２１内側の挟持突部３１ｂのネジ孔３４ｂに挿入し、中空部２３の壁面２３ａに螺入して、先端が挿入突部３１ａのネジ孔３４ａ内、すなわち中空部２３内に納まるものであるから、室内側からは一切見えないので、これらの点においても意匠性が良好である。また、縦カバー材２及び横カバー材５が、それぞれ縦ふかし枠１及び横ふかし枠４の室内側面及び外周側面を一体的に覆っており、さらに縦カバー材２及び横カバー材５の室内側見付面部２１ａ，５１ａが、内窓８の窓枠８１も覆っているので、室内側から見えるのは縦カバー材２及び横カバー材５のみとなり、一体的でフラットなすっきりとした意匠となる（内窓８の窓枠８１の上側のレール８４は横カバー材５から突出して見えるが、上側のレール８４は元々見上げる位置にあるので、視認性への影響は小さい）。また、縦カバー材２及び横カバー材５の室内側見付面部２１ａ，５１ａの先端に取り付けたシール部２４，５４が、内窓８の窓枠８１の起立片８１ａに当接しているので、縦カバー材２及び横カバー材５と、内窓８との間の隙間が塞がれ一体的になっており、内周側の意匠性も高くなっている。さらに、躯体の室内側壁面Ｗに取り付けた断熱パネルＨの小口が、縦カバー材２及び横カバー材５の外周側見込面部２１ｂ，５１ｂに当接していることにより、小口面からの熱の流れを抑制してより断熱性能を高めるとともに、縦カバー材２又は横カバー材５と断熱パネルＨとの間に額縁２００が露出することを防いで意匠性を高めている。また、額縁２００と、縦ふかし枠１又は横ふかし枠４とが、樹脂板からなる被覆材６で一体に覆われており、さらに縦ふかし枠１及び横ふかし枠４が樹脂製の縦カバー材２又は横カバー材５で覆われているので、縦ふかし枠１及び横ふかし枠４からの熱の流れを抑制して、断熱性能が向上している。また、内窓８を樹脂製のものとした場合には、樹脂板からなる被覆材６により質感が統一される。さらに、一般に、額縁は縦辺が横辺より数ミリ室内側に突出しているので、見切枠の角部において、縦カバー材２が横カバー材５を呑み込んでいることにより、見切枠の設置後も同様の質感とすることができる。なお、この見切枠の施工手順は、まず額縁２００に縦ふかし枠１及び横ふかし枠４を取り付け、そこに内窓８を取り付け、その後横ふかし枠４に横カバー材５を取り付け、さらに縦カバー材２に小口キャップ３を取り付けてから、縦ふかし枠１に縦カバー材２を取り付ける。小口キャップ３を取り付けた状態で、縦カバー材２を縦ふかし枠１に取り付けるので、小口キャップ３に近接してエアコンなどの他の構造物が設けられている場合でも、干渉することなく取り付けることができる。ここでこの見切枠は、既設の躯体開口部Ｓに設置するものであるから、特に縦カバー材２については、現場で長さを調整することもありうる（横カバー材５は、端部が縦カバー材２に呑み込まれるので、厳密な長さ調整は必要ない）。その際、縦カバー材２は樹脂製であるから、切断は容易であるし、小口キャップ３を取り付けるためのネジ孔などは有していないから、切断加工のみすればよく、調整は容易である。また、横カバー材５を呑み込ませるためにシール部２４を切除する作業も、カッターなどで容易に行うことができる。さらに、横カバー材５は、端部が縦カバー材２に呑み込まれており、熱により伸縮した場合でも、常に端部は縦カバー材２の室内側見付面部２１ａに覆い隠されるので、熱による伸縮が吸収される。
【００２２】
次に、第二実施形態について、図８に基づき説明する。見切枠の第二実施形態は、左右の縦ふかし枠、縦カバー材２及び小口キャップと、上側の横ふかし枠及び横カバー材とを備える三方枠形状のものであり、左右辺と上辺の構成は第一実施形態と同じである。そして下側については、図８に示すように、内窓８の窓枠８１が額縁２００に取り付けられており、縦ふかし枠および縦カバー材２の下端も額縁２００に突き当たる構成となっている。また、躯体の室内側壁面Ｗに取り付けた断熱パネルＨの小口も、額縁２００に当接している。このように構成した見切枠の第二実施形態も、左右辺及び上辺において、第一実施形態と同様の作用効果を奏する。なお、この第二実施形態において、見切枠の下側に位置するのが額縁ではなく床面であってもよい。
【００２３】
次に、第三実施形態について、図９〜図１１に基づき説明する。見切枠の第三実施形態も、左右の縦ふかし枠１、縦カバー材２及び小口キャップと、上側の横ふかし枠及び横カバー材とを備える三方枠形状のものであり、左右辺と上辺の構成は第一実施形態と同じである。そして下側については、図１０に示すように、既設の床面３００の上に平板状の高さ調整材３０１が設けられていて、高さ調整材３０１の上に内窓８の窓枠８１が取り付けられている。高さ調整材３０１の見込幅は窓枠８１の見込幅とほぼ同じであり、高さ調整材３０１の室内側の床面３００には、断熱パネルＨが敷かれている。そして断熱パネルＨの上面には、さらにリフォーム床材３０２が敷かれている。リフォーム床材３０２の室外側端には、略Ｌ字形のアングル材３０３が取り付けられており、アングル材３０３によって、リフォーム床材３０２の室外側端部の上面及び小口面が覆われている。また、高さ調整材３０１は、断熱パネルＨと同じ厚さに調整されており、アングル材３０３の室外側面が、内窓８の窓枠８１の起立片８１ａに当接していて、内窓８とリフォーム床材３０２の間の隙間が塞がれており、さらにアングル材３０３の上面と、起立片８１ａの上端部及びレール８３の上端部とはほぼ同じ高さになっている。
【００２４】
そして、縦カバー材２の下端には、床面キャップ９が取り付けられている。床面キャップ９は、図１１（（ａ）〜（ｅ）が五面図、（ｆ）が縦カバー材２に取り付けた状態の説明図）に示すように、平板状の見込面部９２と、挿入突部９１を有しており、挿入突部９１は、縦カバー材２の中空部２３にちょうど嵌まる形状となっている。そして、見込面部９２の室内側と外周側には、縦カバー材２のカバー部２１から張り出す隙間塞ぎ部９３が形成されており、さらに隙間塞ぎ部９３の内周側端には、アングル材３０３を呑み込む呑み込み部９４が形成されている。この床面キャップ９を縦カバー材２の下端に取り付けると、アングル材３０３の端部が呑み込み部９４に呑み込まれ、隙間塞ぎ部９３が、縦ふかし枠１と、リフォーム床材３０２の間の隙間を覆って塞ぐ。なお、床面キャップ９は、挿入突部９１を縦カバー材２の中空部２３に挿入することにより、水平方向の動きは規制されているが、上下方向には固定されておらず、リフォーム床材３０２に載った状態である。
【００２５】
このように構成した見切枠の第三実施形態も、左右辺及び上辺において、第一実施形態と同様の作用効果を奏する。そして、下側においては、リフォーム床材３０２と内窓８の下側の窓枠８１とがほぼ同じ高さとなるので、段差がなく安全である。また、床面キャップ９の隙間塞ぎ部９３が、リフォーム床材３０２の小口を覆うので、リフォーム床材３０２の縦ふかし枠１周りの形状を厳密に加工する必要がなく、施工性が良好である。
【００２６】
次に、第四実施形態について、図１２〜１７に基づき説明する。見切枠の第四実施形態は、左右の縦ふかし枠１、縦カバー材２及び小口キャップ３と、上下の横ふかし枠４及び横カバー材５とを備える四方枠形状のものである。見切枠を取り付ける躯体開口部Ｓには、窓（既設窓１００）が設けられており、既設窓１００の構成は、図１５及び図１６に示すように、第一実施形態の場合と同様である。また、既設窓１００の上下左右の窓枠１０１の室内側には、やはり第一実施形態の場合と同様に、躯体開口部Ｓの見込面を覆う矩形板状の額縁２００が取り付けられている。額縁２００の室内側端は、躯体の室内側壁面Ｗよりも室内側に突出している。
【００２７】
さらに、額縁２００の室内側面には、見切材が取り付けられている。左右（縦）の額縁２００に取り付けられた見切材は、図１２に示すように、縦ふかし枠１と、縦カバー材２からなるものである。なお、図１２は見切枠の左側部分を示すものであるが、右側部分はこれと左右対称な構造である。縦ふかし枠１は、断面が左右方向に長い略矩形のアルミ形材からなるものであり、左右方向幅が額縁２００の左右方向幅よりも長く、額縁２００から左右両側に突出するように、額縁２００の室内側面にネジ止めして取り付けられている（内周側により長く突出している）。縦ふかし枠１の室内側面には、長手方向（上下方向）に延びる溝部を形成してあり、これが縦カバー材２を取り付けるための被嵌合部１１となる。そして、左右の額縁２００の内周側面には、樹脂板からなる被覆材６を取り付けてある。被覆材６の室内側端は、縦ふかし枠１の室外側面に当接している。
【００２８】
縦カバー材２は、硬質の樹脂製で、左右に延びる室内側見付面部２１ａと、室内側見付面部２１ａの外周側端から室外側に延びる外周側見込面部２１ｂと、室内側見付面部２１ａの内周側端から室外側に延びる内周側見込面部２１ｃからなる略コ字形のカバー部２１を有し、カバー部２１の内側（室内側見付面部２１ａの室外側かつ外周側見込面部２１ｂの内周側かつ内周側見込面部２１ｃの外周側）に、矩形の中空部２３を形成してある。より詳しくは、外周側見込面部２１ｂから内周側見込面部２１ｃに向けて左右に延びる壁面２３ａが形成されており、この壁面２３ａと室内側見付面部２１ａの間の空間を左右に分割して、外周側の空間を中空部２３としてある。この中空部２３は、小口キャップ３を固定するための被固定部となる。そして、壁面２３ａには、室外側に突出する二つの爪部が形成されており、これが縦ふかし枠１の被嵌合部１１に嵌合する嵌合部２２となっている。嵌合部２２を縦ふかし枠１の被嵌合部１１に嵌合させると、室内側見付面部２１ａ、外周側見込面部２１ｂ及び内周側見込面部２１ｃが、それぞれ縦ふかし枠１の室内側面、外周側面及び内周側面を覆う。そして、外周側見込面部２１ｂが縦ふかし枠１の外周側面に当接し、内周側見込面部２１ｃが縦ふかし枠１の内周側面に当接する。さらに、外周側見込面部２１ｂは、縦ふかし枠１の室外側端よりもさらに室外側に延びている。
【００２９】
小口キャップ３は、硬質の樹脂製で、図１７（（ａ）〜（ｅ）が五面図、（ｆ）が縦カバー材２に取り付けた状態の説明図）に示すように、第一実施形態とほぼ同じ構成で、見込面部３２と突条３３の室内外方向長さを短くしたものである。縦カバー材２への固定方法も、第一実施形態と同じである。なお、図１７に示したものは、左側の縦カバー材２の下端及び右側の縦カバー材２の上端に取り付けるものであり、左側の縦カバー材２の上端及び右側の縦カバー材２の下端に取り付けるものは、これと左右対称な形状となる。
【００３０】
また、上下（横）の額縁２００に取り付けられた見切材は、図１３及び図１４に示すように、横ふかし枠４と、横カバー材５からなるものである。横ふかし枠４は、断面が上下方向に長い略矩形で中空のアルミ形材からなるものであり、上下方向幅が額縁２００の上下方向幅よりも長く、額縁２００から上下両側に突出するように、額縁２００の室内側面にネジ止めして取り付けられている。ただし、額縁２００と横ふかし枠４の間には、板状のスペーサ２０１が挟まれている。これは、縦ふかし枠１に対する横ふかし枠４の室内外方向の位置を調整するためのものである。横ふかし枠４の内周側面と外周側面には、それぞれ爪部を形成してあり、これが横カバー材を取り付けるための被嵌合部４１となっている。そして、上下の額縁２００の内周側面と、スペーサ２０１の内周側面とに跨って樹脂板からなる被覆材６を取り付けてある。被覆材６により、額縁２００とスペーサ２０１の境目が覆われ、上下の内周側面が完全な面一となっている。
【００３１】
横カバー材５は、硬質の樹脂製で、上下に延びる室内側見付面部５１ａと、室内側見付面部５１ａの外周側端から室外側に延びる外周側見込面部５１ｂと、室内側見付面部５１ａの内周側端から室外側に延びる内周側見込面部５１ｃからなる略コ字形のカバー部５１を有し、カバー部５１の内側（外周側見込面部５１ｂの内周側面と、内周側見込面部５１ｃの外周側面）に、爪部を形成してある。この爪部は、横ふかし枠４の被嵌合部４１に嵌合する嵌合部５２となっている。嵌合部５２を横ふかし枠４の被嵌合部４１に嵌合させると、室内側見付面部５１ａ、外周側見込面部５１ｂ及び内周側見込面部５１ｃが、それぞれ横ふかし枠４の室内側面、外周側面及び内周側面を覆う。そして、外周側見込面部５１ｂが横ふかし枠４の外周側面に当接し、内周側見込面部５１ｃが横ふかし枠４の内周側面に当接する。さらに、外周側見込面部５１ｂは、縦ふかし枠１の室外側端よりもさらに室外側に延びている。なお、見切枠の角部においては、縦カバー材２の内周側見込面部２１ｃの内周側面に、横カバー材５の端部が当接している。
【００３２】
そして、既設窓１００の室内側には、内窓８が取り付けられている。内窓８自体の構成は、第一実施形態と同じであり、額縁２００の室内側端に取り付けられている。そして、縦カバー材２及び横カバー材５の内周側見込面部２１ｃ，５１ｃは、内窓８の窓枠８１の起立片８１ａの内周側端と面一になっている。
【００３３】
さらに、躯体開口部Ｓの周囲の躯体の室内側壁面Ｗには、第一実施形態と同様に、断熱パネルＨを取り付けてある。断熱パネルＨの厚さは、額縁２００の室内側壁面Ｗからの突出長さ（見切枠の上下辺においては、スペーサ２０１も含めた突出長さ）よりも薄く、額縁２００（スペーサ２０１）の室内側端は、断熱パネルＨの室内側面よりも室内側に突出している。そして、上記のとおり、縦カバー材２及び横カバー材５の外周側見込面部２１ｂ，５１ｂが、縦ふかし枠１又は横ふかし枠４の室外側端よりもさらに室外側に延びており、断熱パネルＨの小口が縦カバー材２又は横カバー材５の外周側見込面部２１ｂ，５１ｂに当接している。
【００３４】
このように構成した見切枠の第四実施形態は、額縁２００が内窓８を取り付けるために十分な見込長さを有していて、額縁２００を延長する必要がない場合に主として用いられる。そして、この第四実施形態によれば、縦カバー材２の小口に小口キャップ３が取り付けられており、さらに小口キャップ３の見込面部３２が平坦になっていることから、室内側からは見込面部３２の薄い端面しか見えず、小口キャップ３が目立たないので、すっきりとした外観となり意匠性が良好である。そして小口キャップ３が上下に突出しないので、躯体開口部Ｓに近接して他の構造物が設けられている場合（たとえば、上側にエアコンが設置されている場合など）でも、それと干渉することなく取り付けることができる。また、縦カバー材２の被固定部（中空部２３）が略コ字形のカバー部２１の内側に形成してあって、被固定部（中空部２３）及び小口キャップ３の固定部３１（挿入突部３１ａ及び挟持突部３１ｂ）が室内側から見えない。さらに、小口キャップ３を縦カバー材２に固定するネジ３５も、カバー部２１内側の挟持突部３１ｂのネジ孔３４ｂに挿入し、中空部２３の壁面２３ａに螺入して、先端が挿入突部３１ａのネジ孔３４ａ内、すなわち中空部２３内に納まるものであるから、室内側からは一切見えないので、これらの点においても意匠性が良好である。また、縦カバー材２及び横カバー材５が、それぞれ縦ふかし枠１及び横ふかし枠４の室内側面、外周側面及び内周側面を一体的に覆っており、さらに縦カバー材２及び横カバー材５が、内窓８の窓枠８１も覆っているので、室内側から見えるのは縦カバー材２及び横カバー材５のみとなり、一体的でフラットなすっきりとした意匠となる（内窓８の窓枠８１の上側のレール８４は横カバー材５から突出して見えるが、上側のレール８４は元々見上げる位置にあるので、視認性への影響は小さい）。さらに、躯体の室内側壁面Ｗに取り付けた断熱パネルＨの小口が、縦カバー材２及び横カバー材５の外周側見込面部２１ｂ，５１ｂに当接していることにより、小口面からの熱の流れを抑制してより断熱性能を高めるとともに、縦カバー材２又は横カバー材５と断熱パネルＨとの間に額縁２００やスペーサ２０１が露出することを防いで意匠性を高めている。また、額縁２００が樹脂板からなる被覆材６で覆われているので断熱性が高く、さらに縦ふかし枠１及び横ふかし枠４が樹脂製の縦カバー材２又は横カバー材５で覆われているので、縦ふかし枠１及び横ふかし枠４からの熱の流れを抑制して、断熱性能が向上している。また、内窓８を樹脂製のものとした場合には、樹脂板からなる被覆材６により質感が統一される。なお、この見切枠の施工手順は、まず額縁２００に縦ふかし枠１及び横ふかし枠４を取り付け、そこに内窓８を取り付け、その後横ふかし枠４に横カバー材５を取り付け、さらに縦カバー材２に小口キャップ３を取り付けてから、縦ふかし枠１に縦カバー材２を取り付ける。小口キャップ３を取り付けた状態で、縦カバー材２を縦ふかし枠１に取り付けるので、小口キャップ３に近接してエアコンなどの他の構造物が設けられている場合でも、干渉することなく取り付けることができる。ここでこの見切枠は、既設の躯体開口部Ｓに設置するものであるから、縦カバー材２や横カバー材５について、現場で長さを調整することもありうる。その際、縦カバー材２や横カバー材５は樹脂製であるから、切断は容易である。また、縦カバー材２の端部には小口キャップ３が取り付けられるが、縦カバー材２は小口キャップ３を取り付けるためのネジ孔などを有していないから、切断加工のみすればよく、調整は容易である。
【００３５】
次に、第五実施形態について、図１８〜図２０に基づき説明する。見切枠の第五実施形態は、第四実施形態において内窓を取り付けない場合のものである。よって、各部材の構成は第四実施形態とまったく同じである。ただし、第四実施形態と比べて、額縁２００に対する縦ふかし枠１及び横ふかし枠４の取付位置が外周側に寄っており、額縁２００に取り付けた樹脂板からなる被覆材６の内周側面と、縦カバー材２又は横カバー材５の内周側見込面部２１ｃ，５１ｃの内周側面とが面一になっている。このように縦ふかし枠１及び横ふかし枠４を内周側寄り（第四実施形態）と外周側寄り（第五実施形態）のどちらでも取り付けられるよう、縦ふかし枠１及び横ふかし枠４には、外周側と内周側の二箇所にネジの螺合箇所を設けてある。第五実施形態では、縦カバー材２及び横カバー材５により内窓の窓枠を覆い隠す必要がなく、被覆材６と縦カバー材２又は横カバー材５を面一にしたことで、すっきりとした外観となり意匠性が良好である。その他、第五実施形態は、内窓に関することを除いて、第四実施形態と同様の作用効果を奏する。
【００３６】
次に、第六実施形態について、図２１に基づき説明する。見切枠の第六実施形態は、左右の縦ふかし枠、縦カバー材２及び小口キャップと、上側の横ふかし枠及び横カバー材とを備える三方枠形状のものであり、左右辺と上辺の構成は第五実施形態と同じであって、内窓は取り付けられていない。そして下側については、図２１に示すように、床面３００に断熱パネルＨが敷かれており、断熱パネルＨの上面には、さらにリフォーム床材３０２が敷かれている。リフォーム床材３０２の室外側端には、略Ｌ字形のアングル材３０３が取り付けられており、アングル材３０３によって、リフォーム床材３０２の室外側端部の上面及び小口面が覆われている。そして、アングル材３０３の室外側面は、縦ふかし枠及び横ふかし枠の室外側面と略面一になっている。さらに、アングル材３０３の室外側には、床面３００からアングル材３０３の室外側面へと延びる傾斜部材３０４を取り付けてある。この傾斜部材３０４により、既設の床面３００とリフォーム床材３０２との段差によるつまずきを防ぎ、またゴミの掃き出しも容易になっている。また、傾斜部材３０４により断熱パネルＨの小口面が覆われるので、意匠性が向上するとともに、断熱パネルＨの小口面からの熱損失及び小口面からの湿気の浸入による断熱パネルＨの劣化を防止することができる。その他、第六実施形態は、左右辺及び上辺において、第五実施形態と同様の作用効果を奏する。
【００３７】
本発明は、上記の実施形態に限定されない。たとえば、小口キャップの縦カバー材への固定については、ネジ止めではなく、嵌め込みにより固定するものとして、より施工性を向上させてもよい。この場合、小口キャップは、挟持突部を有していなくてもよい。またこの場合、小口キャップの脱落を防ぐため、たとえば縦カバー材の中空部の室外側の壁面に孔を形成し、小口キャップに爪を形成して、孔に爪を係合させて固定する構造にすることが望ましい。このようにすると、孔と爪が外側から見えないので、意匠性も良好である。さらに、縦カバー材は現場で長さを調整する（切断して短くする）こともあるので、予め孔を長手方向にわたって複数形成しておいて、切断しても爪と係合する孔を有する状態にすることが望ましい。また、躯体の室内側壁面に取り付ける断熱パネルが厚い場合又は額縁の室内側への突出長さが短い場合には、断熱パネルの室内側面が、額縁の室内側端よりも室内側に突出する場合もあるが、そのような場合にも、額縁に縦ふかし枠と縦カバー材、又は横ふかし枠と横カバー材を取り付けることで、断熱パネルの小口を縦カバー材又は横カバー材に当接させて、断熱性及び意匠性を向上させることができる。したがって、額縁の室内側への突出寸法や、断熱パネルの厚さ寸法にかかわらず、見切材（ふかし枠及びカバー材）を取り付けることで、断熱パネルの小口や額縁が露出することを防止できる。さらに、額縁（躯体開口部）の内周側面に取り付ける被覆材は、樹脂板からなるもののほか、木質シートや断熱フィルムからなるものなど、断熱性を有し、かつ取り付け後の内周側面を平坦にできるものであればよい。また、額縁（躯体開口部）の内周側面を露出させても意匠性や断熱性が問題にならない場合には、被覆材を設けなくてもよい。その場合、内窓は額縁（躯体開口部）の内周側面（及び縦ふかし枠又は横ふかし枠の内周側面）に直接取り付ければよい。さらに、本発明の見切枠は、額縁を有していない躯体開口部にも取り付けることができる。その場合、たとえばクロス張りの躯体壁面などに縦ふかし枠及び横ふかし枠を取り付けることになるが、取付面が額縁のように室内側に突出していないので、上記実施形態の縦カバー材及び横カバー材を取り付けると、外周側見込面部の室外側端が躯体壁面に干渉する。よって、この場合は外周側見込面部の室外側端部を切除し、縦ふかし枠又は横ふかし枠の室外側面と面一にして用いればよい。
【符号の説明】
【００３８】
１  縦ふかし枠
２  縦カバー材
３  小口キャップ
１１  被嵌合部
２１  カバー部
２１ａ  室内側見付面部
２１ｂ  外周側見込面部
２２  嵌合部
２３  被固定部（中空部）
２３ａ  壁面
３１  固定部
３１ａ  挿入突部
３１ｂ  挟持突部
３２  見込面部
Ｓ  躯体開口部
【図１】
2014088715.tif 000003
【図２】
2014088715.tif 000004
【図３】
2014088715.tif 000005
【図４】
2014088715.tif 000006
【図５】
2014088715.tif 000007
【図６】
2014088715.tif 000008
【図７】
2014088715.tif 000009
【図８】
2014088715.tif 000010
【図９】
2014088715.tif 000011
【図１０】
2014088715.tif 000012
【図１１】
2014088715.tif 000013
【図１２】
2014088715.tif 000014
【図１３】
2014088715.tif 000015
【図１４】
2014088715.tif 000016
【図１５】
2014088715.tif 000017
【図１６】
2014088715.tif 000018
【図１７】
2014088715.tif 000019
【図１８】
2014088715.tif 000020
【図１９】
2014088715.tif 000021
【図２０】
2014088715.tif 000022
【図２１】
2014088715.tif 000023